(57)【要約】【課題】招待客同士の間に親近感を生じさせ、場を盛り上げることができる招待客情報表示システムを提供すること。【解決手段】招待客情報表示システム１は、結婚式または結婚式にまつわる各種パーティで利用されるシステムであり、パーティの招待客が、自らの携帯電話機２０を用いて席次表１０に付加された二次元コード１２を読み取りその二次元コード１２に埋め込まれたＵＲＬにアクセスすることにより、各招待客のプロフィール等が記述されたウェブページを携帯電話機２０の画面で閲覧できるように構成されている。【選択図】図１
2009104504.tif 000002
【特許請求の範囲】
【請求項１】
結婚式または結婚式にまつわるパーティの招待客を紹介する招待客情報を、携帯端末に表示させる招待客情報表示システムであって、
前記結婚式またはパーティに先立って予め作成された招待客情報を記憶する記憶手段と、
前記記憶手段に記憶された招待客情報を取得するための識別情報が埋め込まれた二次元コードと、
その二次元コードが付加されると共に、招待客の各々に配布される配布物と、
前記配布物に付加された二次元コードを読み取って得られる識別情報を用いて、前記記憶手段から招待客情報を取得し、画面に表示出力する携帯端末とを含むことを特徴とする招待客情報表示システム。
【請求項２】
前記配布物は、式場またはパーティ会場に設置された卓の各々について、卓名と、その卓に席を有する招待客の氏名とが記載された席次表であることを特徴とする請求項１記載の招待客情報表示システム。
【請求項３】
前記記憶手段は、
式場またはパーティ会場に設置された卓名が記述される卓名ウェブページと、
前記卓名ウェブページに記述される卓名の各々にハイパーテキストにより関連づけられるウェブページであって、その卓に席を有する招待客の氏名の一覧を含む氏名ウェブページとを記憶すると共に、
前記招待客情報として、
前記氏名ウェブページに含まれる氏名の各々にハイパーテキストにより関連づけられるウェブページであって、その氏名の招待客を個別に紹介する個別ウェブページを記憶するものであり、
前記二次元コードは、前記卓名ウェブページを指定する識別情報が埋め込まれるものであることを特徴とする請求項２記載の招待客情報表示システム。
【請求項４】
前記配布物は、前記招待客の氏名が記載された名札であることを特徴とする請求項１記載の招待客情報表示システム。
【請求項５】
前記記憶手段は、
前記招待客氏名を５０音順に従って分類する分類情報が記述される分類ウェブページと、
その分類ウェブページに記述される分類情報の各々にハイパーテキストにより関連づけられるウェブページであって、各分類情報に分類される招待客の氏名の一覧を含む氏名ウェブページとを記憶するものであり、
前記招待客情報として、
前記氏名ウェブページに含まれる氏名の各々にハイパーテキストにより関連づけられるウェブページであって、その氏名の招待客を個別に紹介する個別ウェブページとを記憶するものであり、
前記二次元コードは、前記分類ウェブページを指定する識別情報が埋め込まれるものであることを特徴とする請求項４記載の招待客情報表示システム。
【請求項６】
前記記憶手段に記憶される個別ウェブページは、招待客を紹介するための説明文と、結婚当事者が予めその招待客に対応付けたキャラクター図柄とを含むことを特徴とする請求項３または５に記載の招待客情報表示システム。
【発明の詳細な説明】
【技術分野】
【０００１】
本発明は招待客情報表示システムに関し、特に、招待客同士の間に親近感を生じさせ、場を盛り上げることができる招待客情報表示システムに関するものである。
【背景技術】
【０００２】
従来、結婚式および、結婚披露宴、結婚式の二次会など、結婚にまつわる各種パーティには、新郎新婦の親せき、知人、友人が招待客として招かれる。新郎新婦は、自分たちのために集まった招待客に楽しい一時を提供することを希望している。よって、ブライダル業界においては、結婚式や披露宴を盛り上げるための各種の提案がなされている。例えば、特許文献１には、招待客が携帯端末を用いて、披露宴前に新郎・新婦のプロフィールを知ることができるようなシステムが提案されている。
【特許文献１】特開２００２−１０９０９３号公報
【発明の開示】
【発明が解決しようとする課題】
【０００３】
しかしながら、上述の提案では、式やパーティを盛り上げるために十分な効果を奏することができなかった。特に、招待客の多くが、互いに初対面である場合は、同じ会場にいる招待客同士が互いに親近感を持ち難く、場が盛り上がり難い。
【０００４】
本発明は、上記問題点を解決するためになされたものであり、招待客同士の間に親近感を生じさせ、場を盛り上げることができる招待客情報表示システムを提供することを目的としている。
【課題を解決するための手段】
【０００５】
この目的を達成するために、請求項１記載の招待客情報表示システムは、結婚式または結婚式にまつわるパーティの招待客を紹介する招待客情報を、携帯端末に表示させるシステムであって、結婚式またはパーティに先立って予め作成された招待客情報を記憶する記憶手段と、前記記憶手段に記憶された招待客情報を取得するための識別情報が埋め込まれた二次元コードと、その二次元コードが付加されると共に、招待客の各々に配布される配布物と、前記配布物に付加された二次元コードを読み取って得られる識別情報を用いて、前記記憶手段から招待客情報を取得し、画面に表示出力する携帯端末とを含むことを特徴とする。
【０００６】
請求項２記載の招待客情報表示システムは、請求項１記載の招待客情報表示システムにおいて、前記配布物は、式場またはパーティ会場に設置された卓の各々について、卓名と、その卓に席を有する招待客の氏名とが記載された席次表であることを特徴とする。
【０００７】
請求項３記載の招待客情報表示システムは、請求項２記載の招待客情報表示システムにおいて、前記記憶手段は、式場またはパーティ会場に設置された卓名が記述される卓名ウェブページと、前記卓名ウェブページに記述される卓名の各々にハイパーテキストにより関連づけられるウェブページであって、その卓に席を有する招待客の氏名の一覧を含む氏名ウェブページとを記憶すると共に、前記招待客情報として、前記氏名ウェブページに含まれる氏名の各々にハイパーテキストにより関連づけられるウェブページであって、その氏名の招待客を個別に紹介する個別ウェブページを記憶するものであり、前記二次元コードは、前記卓名ウェブページを指定する識別情報が埋め込まれるものであることを特徴とする。
【０００８】
請求項４記載の招待客情報表示システムは、請求項１記載の招待客情報表示システムにおいて、前記配布物は、前記招待客の氏名が記載された名札であることを特徴とする。
【０００９】
請求項５記載の招待客情報表示システムは、請求項４記載の招待客情報表示システムにおいて、前記記憶手段は、前記招待客氏名を５０音順に従って分類する分類情報が記述される分類ウェブページと、その分類ウェブページに記述される分類情報の各々にハイパーテキストにより関連づけられるウェブページであって、各分類情報に分類される招待客の氏名の一覧を含む氏名ウェブページとを記憶するものであり、前記招待客情報として、前記氏名ウェブページに含まれる氏名の各々にハイパーテキストにより関連づけられるウェブページであって、その氏名の招待客を個別に紹介する個別ウェブページとを記憶するものであり、前記二次元コードは、前記分類ウェブページを指定する識別情報が埋め込まれるものであることを特徴とする。
【００１０】
請求項６記載の招待客情報表示システムは、請求項３または５に記載の招待客情報表示システムにおいて、前記記憶手段に記憶される個別ウェブページは、招待客を紹介するための説明文と、結婚当事者が予めその招待客に対応付けたキャラクター図柄とを含むことを特徴とする。
【発明の効果】
【００１１】
請求項１記載の招待客情報表示システムによれば、招待客情報を取得するための識別情報が埋め込まれた二次元コードが配布物と共に招待客の各々に配布される。そして、招待客が、その二次元コードを携帯端末を用いて読み取ると、各招待客を紹介する招待客情報が携帯端末の画面に表示される。その結果、各招待客が他の招待客について情報を得ることができるので、招待客同士の間に親近感を生じさせ、場を盛り上げることができるという効果がある。
【００１２】
ここで、「二次元コード」とは、垂直方向と水平方向とに情報を持つ表示形式のコードであって、例えば、ＱＲコード（登録商標）、PDF417、ベリコード、マキシコードなどを具体例として挙げることができる。
【００１３】
また、「二次元コードが付加されると共に、招待客の各々に配布される配布物」とは、二次元コードが印刷または貼付されることにより、二次元コードが分離不可能に付加された配布物に限定されるものではなく、例えば、二次元コードが印刷された印刷物が添えられた状態で配布される配布物であっても良い。すなわち、二次元コードと配布物とがセットとして招待客に配布されるものであれば良く、物理的には両者が分離していても良い。
【００１４】
また、「携帯端末」とは、例えば、携帯電話やＰＨＳなど、通話機能を有する装置に限られず、例えば、ＰＤＡやノートパソコンなどの小型のコンピュータであっても良い。
【００１５】
また、「招待客」とは、例えば席次表に名前を有する列席者に限定されるものではなく、実質的に招待された者全てを含む。例えば、結婚披露宴や二次会の司会を担当する結婚当事者の友人等は、当日はあたかも主催者側のような立場で参加するが、実質的には結婚当事者によって招かれているので、ここでいう「招待客」に含まれる。
【００１６】
また、「招待客を紹介する招待客情報」とは、招待客のプロフィール、結婚当事者からその招待客に対するサンクスメッセージ、招待客の写真など、招待客の人柄や結婚当事者との関係などを他の者に知らしめる全ての情報を含む。
【００１７】
請求項２記載の招待客情報表示システムによれば、請求項１記載の招待客情報表示システムの奏する効果に加え、配布物は、式場またはパーティ会場に設置された卓の各々について、その卓名と、卓に席を有する招待客の氏名が記載された席次表であるので、席次表を見て招待客が着席してから、式またはパーティが始まるまでの待ち時間を利用して、各招待客は、手元の席次表から二次元コードを読み取り、招待客情報を閲覧することができる。よって、待ち時間の退屈さを軽減させることができるという効果がある。
【００１８】
請求項３記載の招待客情報表示システムによれば、請求項２記載の招待客情報表示システムの奏する効果に加え、二次元コードは、卓名ウェブページを指定する識別情報が埋め込まれるので、各招待客は、自らの携帯端末を用いて卓名ウェブページを取得し閲覧することができる。そして、席次表を参照することにより、目的とする卓名を選択し、ハイパーテキストにより、その卓に席を有する招待客の氏名の一覧を含む氏名ウェブページを閲覧することができる。さらに、その氏名ウェブページに含まれる氏名の各々について、ハイパーテキストにより、その氏名の招待客を個別に紹介する個別ウェブページを閲覧することができる。このように、席次表から把握される卓名によって、招待客氏名を絞り込ませることができるので、招待客が多数であっても、目的とする氏名を迅速に探し当て、その個別ウェブページを閲覧することができるという効果がある。また、招待客は、通常、席次表で指定された席に着いている場合が多いので、見知らぬ招待客についても、その着席位置と席次表とを照らし合わせることにより彼または彼女の氏名について見当がつく場合は、卓名と氏名とを手がかりとして、彼または彼女を紹介する個別ウェブページを容易に探し当て閲覧することができるという効果がある。
【００１９】
請求項４記載の招待客情報表示システムによれば、請求項１記載の招待客情報表示システムの奏する効果に加え、二配布物は、招待客の氏名が記載された名札であるので、招待客情報を閲覧するための二次元コードが各招待客に確実に行き渡るという効果がある。また、名札は通常、良く目に付くところに付されるので、招待客が二次元コードの存在に気づき易く、本発明の利用が促進されるという効果がある。
【００２０】
請求項５記載の招待客情報表示システムによれば、請求項４記載の招待客情報表示システムの奏する効果に加え、二次元コードは、分類ウェブページを指定する識別情報が埋め込まれるので、各招待客は、自らの携帯端末を用いて、分類ウェブページを取得し閲覧することができる。そして、目的とする分類情報を選択し、ハイパーテキストにより、その分類情報に分類される招待客の氏名の一覧を含む氏名ウェブページを閲覧することができる。さらに、その氏名ウェブページに含まれる氏名の各々について、ハイパーテキストにより、その氏名の招待客を個別に紹介する個別ウェブページを閲覧することができる。その結果、式場またはパーティ会場で見掛けた他の招待客について、名札に記載された氏名を手がかりに、その人物を紹介する個別ウェブページを容易に探し出して閲覧することができるので、招待客同士の間に親近感が生じ易いという効果がある。
【００２１】
請求項６記載の招待客情報表示システムによれば、請求項３または５に記載の招待客情報表示システムの奏する効果に加え、記憶手段に記憶される個別ウェブページは、招待客を紹介するための説明文と、結婚当事者が予めその招待客に対応付けたキャラクター図柄とを含むので、各招待客は、より楽しく招待客情報を閲覧することができるという効果がある。さらに、結婚当事者が、複数種類のキャラクター図柄の中から、各招待客の人柄に応じたキャラクター図柄を選択して対応付けていれば、各招待客は、自らに対応付けられたキャラクター図柄と他の招待客に対応付けられたキャラクター図柄とを見比べ、それをきっかけに話が弾んだり、また、他の招待客に対し、より興味を持つことができるという効果がある。
【００２２】
なお、複数種類のカテゴリー、例えば、動物カテゴリー、昆虫カテゴリー、魚カテゴリーの各々について、複数種類のキャラクター図柄を準備しておき、結婚当事者の好みに応じて使用するカテゴリーを選択させても良い。
【発明を実施するための最良の形態】
【００２３】
以下、本発明の好ましい実施形態について、添付図面を参照して説明する。図１は、本発明の実施形態の招待客情報表示システム１の概要図である。図１に示されるように、招待客情報表示システム１は、席次表１０と、携帯電話機２０と、サーバ３０と、管理者用コンピュータ５０とを備えている。そして、携帯電話機２０と、サーバ３０と、管理者用コンピュータ５０とは、それぞれインターネット６０に接続可能に構成されている。
【００２４】
図１に示す招待客情報表示システム１は、結婚式または結婚式にまつわる各種パーティ（以下、単にパーティと称する）で利用されるシステムであり、パーティの招待客が、自らの携帯電話機２０を用いて席次表１０に付加された二次元コード１２を読み取り、その二次元コード１２に埋め込まれたＵＲＬ（識別情報の一例）にアクセスすることにより、各招待客のプロフィール等が記述されたウェブページを携帯電話機２０の画面で閲覧できるように構成されている。
【００２５】
この招待客情報表示システム１の利用により、各招待客は、パーティ開催までの待ち時間等を利用して、自らの携帯電話機２０で簡単に招待客情報を閲覧し、他の招待客について情報を得ることができるので、待ち時間の退屈を紛らわせることができると共に、招待客同士の間に親近感を生じさせ、場を盛り上げることができる。
【００２６】
席次表１０は、結婚式または結婚式にまつわるパーティの招待客の各々について、式場またはパーティ会場（以下、単に会場と称する）における座席を示す表であり、パーティ会場入り口において、または招待状と共に、各招待客に配布される。図１に示すように、席次表１０には、例えばＱＲコード（登録商標）などの二次元コード１２が付されている。この二次元コード１２は、サーバ３０にアクセスし、後述するウェブページを取得するためのＵＲＬが埋め込まれ（暗号・符号化され）ている。
【００２７】
携帯電話機２０は、通話機能に加えて、二次元コード１２を光学的に読み取るバーコードリーダとしての機能と、読み取った二次元コード１２の画像からアクセス先のＵＲＬを取得してインターネットに接続する機能と、アクセス先から受信したウェブページを表示するウェブブラウザ機能を備えている。
【００２８】
サーバ３０は、ＣＰＵ３１と、ＲＯＭ３２と、ＲＡＭ３３と、ＨＤＤ３４と、サーバ３０をインターネット６０に接続するためのネットワークインターフェイス３５とを備え、ウェブページをクライアント端末に送信する機能を有する。
【００２９】
ＨＤＤ３４は、招待客データベース３４１（以下、招待客ＤＢ３４１と表記する）を備える。招待客ＤＢ３４１は、パーティの招待客に閲覧させるためのウェブページが格納される。このウェブページの詳細については図２を参照して後述する。
【００３０】
管理用コンピュータ５０は、インターネット６０を経由してデータをアップロードする機能を有する。管理用コンピュータ５０のオペレータは、結婚当事者である新郎新婦によって作成された招待客のプロフィール等を入力してウェブページを作成し、サーバ３０に対してアップロードし、招待客ＤＢ３４１に格納する。
【００３１】
図２および図３を参照して、招待客情報表示システム１の利用の流れを説明する、図２は、席次表１０の一例を示す図である。図２に示すように、本実施形態の席次表１０は、会場に設置された卓（テーブル）の各々について、卓名１３と、その卓に席を有する招待客の氏名１４とが記載された表である。招待客は、席次表１０を手にして会場に入り、席次表１０で指定された席に着く。
【００３２】
そして、招待客の携帯電話機２０のバーコードリーダ機能によって、席次表１０に付された二次元コード１２が読み取られ、二次元コード１２に埋め込まれたＵＲＬを用いてインターネット６０（図１参照）への接続が行われると、サーバ３０（図１参照）は、そのＵＲＬで指定されるウェブページを携帯電話機２０に対して送信する。
【００３３】
図３（ａ）は、携帯電話機２０に表示されるトップページ６２の一例を示す図である。このトップページ６２は、二次元コード１２に埋め込まれたＵＲＬで指定されるウェブページであって、サーバ３０から携帯電話機２０へ送信されて、携帯電話機２０の画面に表示される。図３（ａ）に示すように、トップページ６２には、会場に設置された卓の卓名一覧６３が記述される。この卓名一覧６３に含まれる卓名は、席次表１０（図２参照）に記載される卓名と一致している。
【００３４】
卓名一覧６３に含まれる卓名の各々には、リンク情報が埋め込まれており、このリンク情報を用いたハイパーテキストにより、各卓に席を有する招待客の氏名の一覧６７が記述された氏名ウェブページ６６（図３（ｂ）参照）へジャンプすることができるように構成されている。例えば、トップページ６２に記述される「テーブルＡ」を選択し携帯電話機２０の決定キー（図示せず）を押下することにより、テーブルＡに席を有する招待客の氏名の一覧６７が記述された氏名ウェブページ６６へジャンプするように各ページが関連づけられている。このようにすれば、席次表１０から把握できる卓名を手がかりとして、探索対象氏名を絞り込むことができるので、招待客が多数の場合でも所望の氏名を迅速に探し当てることができる。
【００３５】
図３（ｂ）は、氏名ウェブページ６６の一例を示す図である。氏名ウェブページ６６に記述される氏名の各々には、リンク情報が埋め込まれており、このリンク情報を用いたハイパーテキストにより、各氏名の招待客を個別に紹介する個別ウェブページ６８へジャンプすることができるように構成されている。例えば、氏名ウェブページ６６に記述される氏名「藤田信二」を選択し携帯電話機２０の決定キー（図示せず）を押下することにより、「藤田信二」を個別に紹介する個人ウェブページ６６へジャンプするように各ページが関連づけられている。
【００３６】
図３（ｃ）は、個別ウェブページ６８の一例を示す図である。図３（ｃ）に示すように、個別ウェブページ６８は、招待客の各々について個別に作成されるページであって、１名分の招待客の氏名６９と、その招待客を紹介するための説明文７０と、結婚当事者が予めその招待客に対応付けたキャラクター図柄７１とを含むページである。
【００３７】
説明文７０は、新郎新婦によって作成された文章を、管理用コンピュータ５０（図１参照）のオペレータが入力することにより、作成される。説明文７０として、例えば、各招待客のプロフィールや新郎新婦との関係、新郎新婦から招待客に対するサンクスメッセージなど、他の招待客に興味を持ってもらえるような文章を付すことにより、招待客同士の交流をより盛り上げることができる。
【００３８】
キャラクター図柄７１は、予め複数種類準備されており、新郎新婦は、招待客それぞれの人柄にあったキャラクター図柄７１を選択する。そして、管理用コンピュータ５０（図１参照）のオペレータが、その選択されたキャラクター図柄７１を埋め込んだ個別ウェブページ６８を作成する。このようにすれば、各招待客にとっては、自分の個別ウェブページ６８を閲覧することにより、新郎新婦が自分に対しどのような印象を持っているかを知ることができるので、興味を持ってウェブページを閲覧することができる。また、自らに対応付けられたキャラクター図柄７１と他の招待客に対応付けられたキャラクター図柄７１とを見比べ、それをきっかけに話が弾んだり、また、他の招待客に対してより興味を深めることができる。
【００３９】
なお、図３（ａ）に示すように、これらのウェブページには、例えば、式場スタッフからのコメントページや式場の広告宣伝ページをリンクさせても良い。このようにすれば、招待客に対する販売促進効果が得られる。さらに、これらのウェブページには、例えば、パーティで出される食事のメニューを説明するページをリンクさせても良い。
【００４０】
次に、ウェブページ作成までの手順について説明する。まず、新郎新婦に注文用紙を渡し、新郎新婦情報（会場名、挙式日、新郎名と新郎のメールアドレス、新婦名と新婦のメールアドレス）と、ウェブページ作成用情報（招待客氏名、続柄、説明文、キャラクター図柄を選択するためのキャラクター番号、各招待客の卓名）とを記入させる。
【００４１】
そして、管理者は、当該新郎新婦用のＵＲＬを取得し、そのＵＲＬを埋め込んだ二次元コード１２を作成し、席次表１０への印刷を手配する。また、新郎新婦によって記入されたウェブページ作成用情報に従って、上述したトップページ６２、氏名ウェブページ６６、個別ウェブページ６８を作成し、サーバ３０へアップロードする。
【００４２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００４３】
例えば、本実施形態では、二次元コード１２は席次表１０に付されていたが、二次元コード１２は席次表１０以外の配布物に付されても良い。
【００４４】
図４，図５を参照して、二次元コード１２が名札８０に付された場合の変形例について説明する。図４は、二次元コード１２が付された名札８０の一例を示す図である。図４に示すように、名札８０は、氏名が記載されたものであり、例えば、結婚式の二次会の受け付けにおいて各招待客に配布される。このようにすれば、名札８０と共に、二次元コード１２を各招待客に確実に行き渡らせることができる。また、名札８０は通常、良く目に付くところに付されるので、招待客が二次元コード１２の存在に気づき易く、本発明の招待客情報表示システム１の利用が促進される。
【００４５】
上述した実施形態と同様に、本変形例においても、招待客の携帯電話機２０のバーコードリーダ機能によって、名札８０に付された二次元コード１２が読み取られ、二次元コード１２に埋め込まれたＵＲＬを用いてインターネット６０（図１参照）への接続が行われると、サーバ３０（図１参照）は、そのＵＲＬで指定されるウェブページを携帯電話機２０に対して送信する。
【００４６】
図５（ａ）は、携帯電話機２０に表示されるトップページ８２の一例を示す図である。このトップページ８２は、実施形態のトップページ６２と同様に、サーバ３０から携帯電話機２０へ送信されて、携帯電話機２０の画面に表示される。実施形態のトップページ６２には、会場に設置された卓の卓名一覧６３が記述されていたのに対し、この変形例のトップページ８２は、名字先頭の文字が、あ行、か行、さ行、た行、な行、は行、ま行、や行、ら行、わ行のいずれに属するかに従って、招待客氏名を分類するための分類情報８３が記述されている点において実施形態と異なっている。
【００４７】
図５（ｂ）は、氏名ウェブページ８４の一例を示す図である。変形例の氏名ウェブページ８４は、招待客氏名の一覧である点において実施形態で説明した氏名ウェブページ６６と共通するが、名字先頭の文字が同行に属する氏名の一覧である点において、実施形態の氏名ウェブページ６６と異なっている。
【００４８】
図５（ｃ）は、個別ウェブページ８８の一例を示す図である。変形例の個別ウェブページ８８は、実施形態の個別ウェブページ６８と同様に、氏名ウェブページ８４に含まれる氏名の各々にハイパーテキストにより関連づけられると共に、１名分の招待客の氏名と、その招待客を紹介するための説明文と、結婚当事者が予めその招待客に対応付けたキャラクター図柄とを含む。
【００４９】
本変形例によれば、会場で見掛けた他の招待客について、名札に記載された氏名を手がかりに、その人物を紹介する個別ウェブページ８８を容易に探し当て、閲覧することができるので、招待客同士の間に親近感が生じ易い。
【００５０】
また、卓名または名字の頭文字で氏名を分類することに代えて、例えば、招待客氏名を年代別に分類して表示しても良いし、また新郎新婦との関係（例えば、親せきであるか知人であるか）によって分類して招待客氏名を表示し、それらの情報に従って氏名を絞り込むように構成されたものであっても良い。
【００５１】
また、新郎新婦が各招待客の説明文７０を作成するものとして説明したが、説明文の定型を準備しておき、新郎新婦が携帯電話やＰＣからその定型を取得し、そのままコピーし、または定型を編集して利用できるようなシステムを予め構築しても良い。
【００５２】
また、上述した実施形態では、管理用コンピュータ５０でウェブページを作成し、サーバ３０へアップロードするものとして説明したが、例えば、新郎新婦自身が携帯電話やパーソナルコンピュータから、ウェブページを作成または更新できるように構成しても良い。この場合、新郎新婦に対しては、アカウントＩＤとパスワードなど識別のための認証情報が発行される。そして、サーバ３０では、この認証情報に基づいて本人確認を行い、本人である場合には、ウェブページの更新を許可する。このようにすれば、新郎新婦にとってより満足度が高いサービスを提供することができる。
【図面の簡単な説明】
【００５３】
【図１】本発明の実施形態の招待客情報表示システムの概要図である。
【図２】席次表の一例を示す図である。
【図３】（ａ）は、携帯電話機に表示されるトップページの一例を示す図であり、（ｂ）は、氏名ウェブページの一例を示す図であり、（ｃ）は、個別ウェブページの一例を示す図である。
【図４】変形例を説明する図であって、二次元コードが付された名札の一例を示す図である。
【図５】（ａ）は、変形例のトップページを示す図であり、（ｂ）は、変形例の氏名ウェブページの一例を示す図であり、（ｃ）は、変形例の個別ウェブページの一例を示す図である。
【符号の説明】
【００５４】
１                  招待客情報表示システム
１０                席次表（配布物）
１２                二次元コード
１３                卓名
１４                招待客の氏名
２０                携帯電話機（携帯端末）
３０                サーバ（記憶手段）
６２                トップページ（卓名ウェブページ）
６６                氏名ウェブページ
６８                個別ウェブページ
７０                説明文
７１                キャラクター図柄
８０                名札（配布物）
８２                トップページ（分類ウェブページ）
８３                分類情報
８４                氏名ウェブページ
８８                個別ウェブページ
【図１】
2009104504.tif 000003
【図２】
2009104504.tif 000004
【図３】
2009104504.tif 000005
【図４】
2009104504.tif 000006
【図５】
2009104504.tif 000007